Podtech/llm-jp-corpus-v4-ja_patent huggingface dataset:
(57)【要約】      （修正有）【課題】がま口の口金と袋布を接合する作業を迅速、正確、簡単に行うことを可能にする補助用特殊形状のプラスティック部材を設えたがま口用の口金部材を提供する。【解決手段】がま口口金１に押し入れる袋布２を用意し、その袋布２の内側に宛がうプラスティック特殊形状の補助部材３を作って宛がい固定する。部材に宛がわれた袋布２を口金のＵ字状溝４に合わせて差し込む。Ｕ字状溝４内には予め接着剤が塗布されて居り速やかにＵ字状溝４内に袋布２の折り込み部分を固着させて、がま口５を構成する。【選択図】図２
0003155146.tif 000002
【実用新案登録請求の範囲】
【請求項１】
がま口の口金であり、断面形状がU字状溝に形成されており、がま口の口金形状に沿った形状であって、該U字状溝にかん合する補助部材を備えたことを特徴とするがま口用の口金部材。  
【考案の詳細な説明】
【技術分野】
【０００１】
本考案は、がま口の口金と袋布を接合する作業を迅速、正確、簡単に行うことを可能にする補助用特殊形状のプラスティック部材に関するものである。
【背景技術】
【０００２】
従来、がま口の口金と袋布の接合技術は、口金形状に合わせて布地を裁断し、袋状に縫製した後、口金内面にボンドを塗布し、袋状布地を、その中に宛がい細棒で押し入れ、更に細紙紐を隙間に押し入れて固着させていた。
【考案の概要】
【考案が解決しようとする課題】
【０００３】
従来の口金と袋布との接合方法は、細かい手作業を要し、相当の時間が掛かる上、作業が難しく、品質にバラツキが生じていた。これらの欠点を解決しようとする物である。
【課題を解決するための手段】
【０００４】
本考案は、がま口の口金であり、断面形状がＵ字状溝に形成されており、がま口の口金形状に沿った形状で有って、該Ｕ字状溝にかん合する補助部材を備えたがま口用の口金部材である。
本考案は、がま口の口金と袋布を接合する際、予め、口金形状に合わせて、薄いプラスティック板を裁断した補助部材を用意し、口金に挿入固着する袋布中側に宛った状態で挿入する事により、極めて短時間、且つ正確、簡単に作業が出来、製品の生産性、完成度が著しく向上することにより、従来の問題点を解決している。
【考案の効果】
【０００５】
上述の様に本考案の接合補助の為のプラスティック部材を使うことにより、迅速、簡単、正確に作業が出来、且つ仕上り品の完成度が高く、全体として生産性の著しい向上が見込まれる。
【図面の簡単な説明】
【０００６】
【図１】がま口の斜視図
【図２】図１のA-A線断面図
【図３】がま口口金の正面図
【図４】袋布の正面図
【図５】補助部材の正面図
【考案を実施するための形態】
【０００７】
本考案の部材は、薄手のポリエステルプラスティック板を口金形状型に合わせて打ち抜き、がま口を作る際の接合補助部材とする。この補助部材の外側に口金形状に合わせ、位置が視認 出来る様、３カ所に小さな切り口を入れ、又部材中央部に数カ所の小穴を開け、針で布地を 押入れ、固定性を確保する。
【実施例】
【０００８】
以下添付図面に従って実施例を説明する。図１において、がま口口金１に押し入れる袋布２を用意し、その袋布２の内側に宛がうプラスティック特殊形状の補助部材３を作って宛がい固定する。部材に宛がわれた袋布２を口金のＵ字状溝４に合わせて差し込む。Ｕ字状溝４内には予め接着剤が塗布されて居り速やかにＵ字状溝４内に袋布２の折り込み部分を固着させる事が出来、がま口５ が完成する。図２は図１のA-A線断面図を示す。又、図３はがま口口金の正面図を、図４は袋布の正面図を、図５は補助部材の正面図を示す。 なお本考案である口金部材は、がま口口金１(金属等)と補助部材３(発砲樹脂等)で構成される。
【符号の説明】
【０００９】
１  がま口口金
２  袋布
３  補助部材
４  口金Ｕ字状溝
５  がま口
【図１】
0003155146.tif 000003
【図２】
0003155146.tif 000004
【図３】
0003155146.tif 000005
【図４】
0003155146.tif 000006
【図５】
0003155146.tif 000007
【手続補正書】
【提出日】平成21年5月7日(2009.5.7)
【手続補正１】
【補正対象書類名】実用新案登録請求の範囲
【補正対象項目名】全文
【補正方法】変更
【補正の内容】
【実用新案登録請求の範囲】
【請求項１】
がま口口金と補助部材から構成されるがま口用口金部材であって、該口金の断面形状がU字状溝にかん合するものであることを特徴とするがま口用の口金部材。
【手続補正書】
【提出日】平成21年6月18日(2009.6.18)
【手続補正１】
【補正対象書類名】実用新案登録請求の範囲
【補正対象項目名】全文
【補正方法】変更
【補正の内容】
【実用新案登録請求の範囲】
【請求項１】
がま口口金と補助部材から構成されるがま口用口金部材であって、該補助部材はがま口の口金形状に沿った形状であって、プラスティックの薄板からなり、該口金の断面形状のＵ字状溝にかん合するものであることを特徴とするがま口用の口金部材。
(57)【要約】【課題】帽子やウイッグを掛けるのに適したハンガーを提供する。【解決手段】平板状の台座（２）の中心から支柱（３）が垂直に立設されていてこの支柱（３）の途中には１個所又は複数個所から複数本の腕木（４、４…）がほぼ水平に出ていてこの各々の腕木（４、４…）の先端には花の形をした、帽子ウイッグのかぶせ台（５、５…）が上部に向って設けられていることを特徴とする帽子又はウイッグ用のハンガー（１）。【選択図】図１
0003155145.tif 000002
【実用新案登録請求の範囲】
【請求項１】
平板上の台座（２）の中心から支柱（３）が垂直に立設されていて、この支柱（３）の途中には１個所又は複数個所から複数本の腕木（４，４…）がほぼ水平に出ていて、この各々の腕木（４，４…）の先端には花の形をした帽子、ウイッグのかぶせ台（５，５…）が上部に向って設けられていることを特徴とする帽子又はウイッグ用ハンガー（１）。
【請求項２】
上記支柱（３）の下端には、台座（２）の替りにグリップ（６）が設けられている事を特徴とする帽子又はウイッグ用のハンガー（１１）。
【考案の詳細な説明】
【技術分野】
【０００１】  本考案は帽子やウイッグを掛けるのに適したハンガーに関するものである。
【背景技術】
【０００２】  従来の帽子掛けは支柱に設けられた腕木の先端が球状であったり、小物を引っかけるような形のものであり、釣形だったり、上への突起体のものが殆んどである。これらのものでは、帽子やウイッグが形くずれしたり、すべり落ちると言う問題があった。
又、従来の形状のものは、帽子など掛けていない時の美観もよくなかった。
【考案の開示】
【考案が解決しようとする課題】
【０００３】  本考案は上記のような問題が解決するために、なされたものであり、帽子やウイッグを掛けても形くずれしないハンガーを提供するものである。
【課題を解決するための手段】
【０００４】  請求項１記載の帽子又はウイッグ用のハンガー（１）は平板上の台座（２）の中心から支柱（３）が垂直に立設されていて、この支柱（３）の途中には複数個所から複数本の腕木（４，４…）がほぼ水平に出ていてこの各々の腕木（４，４…）の先端には花の形をした帽子やウイッグ用のかぶせ台（５，５…）が上部に向って設けられている事を特徴とする。【０００５】  請求項２記載の帽子又は、ウイッグ用ハンガー（１１）は支柱（３）の下端には台座（２）の替りにグリップ（６）が設けられている事を特徴とする。【０００６】  本考案のかぶせ台（５，５…）は花の形をしている。花の形としては、複数本の花びらが上になっているものが好ましく例えばチューリップの花の形であれば花全体の大きさは、人頭大より小さく細目でよいが、頭頂部の花びらは、人頭部の形状に近い方が良い。
【考案の効果】
【０００７】  請求項１記載の本考案は上記のような構成であるから、帽子やウイッグを掛けても、形くずれしないし又、すべり落ちることもない。インテリアとしても、美観もよい。【０００８】  請求項２記載の考案はグリップ（６）を用いて従来のポールが水平に横架されているハンガーのポールに立設すれば新たな場所をとることなく、置く事が出来、更に請求項１記載の考案の効果を奏するものである。
【考案を実施するための形態】
【実施例１】
【０００９】  請求項１記載の考案の実施一例を図１を用いて説明する。
直径３６ｃｍ、厚さ４ｃｍの円板上の木製の台座（２）の中心から太さ直径４ｃｍで高さ１７０ｃｍの木製支柱（３）を垂直に立設し台座（２）から高さ９０ｃｍ、１３０ｃｍ、１７０ｃｍの所にプラスチック製の長さ４０ｃｍの腕木（４，４…）を各々２本づつ水平に設け各々の先端に内部は空胴にしたプラスチック製の人頭大より小さく細目で頭頂部の花びらは、人頭頂部の形状に近いチューリップ形のかぶせ台（５，５…）を上部に向って設け、支柱（３）の頂上にも同じぶせ台（５，５…）を取り付けた。本実施例では一番下の段の腕木（４，４…）をつけたかぶせ台（５，５…）は一番小さくウイッグ用とした。このようにして得たハンガーは帽子、ウイッグ等を、形くずれする心配もなく、整理整頓が出来て、しかもインテリアとしても美しいものである。
【実施例２】
【００１０】  実施例２記載の考案の実施の１例を図２を用いて説明をする。太さ直径２ｃｍで高さ８０ｃｍの軽量のプラスチック製の支柱（３）の下端に、グリップ（６）を設け、グリップ（６）から上へ２０ｃｍと６０ｃｍのところにプラスチック製の長さ４０ｃｍの腕木（４，４…）を各々２本づつ水平に設け、各々の先端と支柱（３）の頂上には、実施例１と同様のかぶせ台（５，５…）を取りつけた。【００１１】  この実施例２の帽子又はウイッグ用ハンガーを、従来からあるような１本のポール（８２）が水平に横架されていて、左右に一対のスタンド（８１，８２）を有するコートハンガーのポール（８２）に、上記グリップ（６）を用いて回転しないように取付けた（図３）。このようにコートハンガーの上に設置した帽子又はウイッグ用ハンガー（１１）は、部屋での場所を必要とせず、便利に使う事が出来る。
【産業上の利用の可能性】
【００１２】  本考案は家庭用や、販売店等で使用する事が出来る。
【図面の簡単な説明】
【００１３】
【図１】  本考案の実施例１を示す説明図
【図２】  本考案の実施例２を示す説明図
【図３】  実施例２を実際に使用している状況を示す説明図。
【符号の説明】
【００１４】  １，１１  本考案のハンガー
２．    台座
３．    支柱
４．    腕木
５．    かぶせ台
６．    グリップ
８１．  従来のコートハンガーのスタンド
８２．  従来のコートハンガーのポール
【図１】
0003155145.tif 000003
【図２】
0003155145.tif 000004
【図３】
0003155145.tif 000005
【手続補正書】
【提出日】平成21年6月22日(2009.6.22)
【手続補正１】
【補正対象書類名】実用新案登録請求の範囲
【補正対象項目名】請求項２
【補正方法】変更
【補正の内容】
【請求項２】
上記支柱（３）の下端には台座（２）の替りにグリップ（６）が設けられている事を特徴とする請求項（１）に記載の帽子又はウイッグ用のハンガー（１１）。
(57)【要約】      （修正有）【課題】二輪車から簡単に構造を変更することができるトライクを提供する。【解決手段】自動二輪車の走行装置である後ろタイヤを、伝達装置に変えてチェーン駆動式にする。【選択図】図２
0003155142.tif 000002
【実用新案登録請求の範囲】
【請求項１】
自動二輪車の後ろタイヤを外し、シャフト部分にスプロケット（動力伝達装置）を取り付け、チェーン駆動でトライクユニットに動力を伝達させ、トライクユニットはエンジン側のプーリケース、サスペンション、マフラー取り付け穴を利用して車体に取り付ける。そうすることによって、色々なメーカーのトライクユニットも簡単に取り付けができ、軽四輪車用のホウシングにスプロケットを付ければ自動車部品でもトライクが製作できる技術である。
【考案の詳細な説明】
【技術分野】
【０００１】
本考案は、自動二輪車をトライク（側車付オートバイ）に構造変更する技術に関するものである。
【図面の簡単な説明】
【０００２】
【図１】加工前の自動二輪車のエンジン例を示した平面図である。
【図２】自動二輪車のエンジンのトライクユニットを取り付けた例を示した平面図である。
【考案を実施するための形態】
【０００３】
二輪車を最小部品点数で簡単に丈夫なトライクに構造変更することが実現した。
【実施例１】
【０００４】
図１は、手を加える前でトライクユニットを取り付けるのに８の取り付け穴の隙間と１４の取り付け穴を利用する。
【実施例２】
【０００５】
図２は、トライクユニットを取り付けた例であり、取り付け金具１２でエンジンとトライクユニットが一体化し強度を持たす為、１．２．９の穴を利用してボルトで固定してある。
【実施例３】
【０００６】
図２の１３には、自動二輪車の後輪が取り付けられていたが、それを外しシャフトに３を取り付けた。
【実施例４】
【０００７】
図２の４で動力をトライクユニット５に伝達させる。
【実施例５】
【０００８】
図２の１０は元々軽四輪車用のホウシングだったが、ドライブシャフトを外してスプロケットを付ければ自動車部品でもチェーン駆動式トライクが作れる。
【産業上の利用可能性】
【０００９】
低コストでトライクが製作できる。
【符号の説明】
【００１０】
１    サスペンション取り付け穴
２    マフラー取り付け穴
３    動力伝達装置（エンジン側スプロケット）
４    動力伝達装置（チェーン）
５    動力伝達装置（デフ側スプロケット）
６    右タイヤ
７    エンジン本体
８    プーリケース
９    プーリケース取り付け穴
１０    トライクユニット本体
１１    左タイヤ
１２    トライクユニット取り付け金具
１３    自動二輪後輪取り付けシャフト
１４    消音機（マフラー）
１５    後輪
【図１】
0003155142.tif 000003
【図２】
0003155142.tif 000004
【手続補正書】
【提出日】平成21年5月15日(2009.5.15)
【手続補正１】
【補正対象書類名】実用新案登録請求の範囲
【補正対象項目名】請求項１
【補正方法】変更
【補正の内容】
【請求項１】
自動二輪車（ビッグスクーター）の後ろタイヤを外し、そのシャフト部分にスプロケット（動力伝達装置）を組み合わせることにより、チェーン駆動が可能になり色々なメーカーのトライクユニットも簡単に取り付けることができ、また、軽四輪車用のホウシングにスプロケットを取り付ければ自動車部品でも製作が可能であり、エンジンと後ろタイヤが一体化された自動二輪車には難しかった構造変更が簡単にできるトライクである。
【手続補正書】
【提出日】平成21年8月27日(2009.8.27)
【手続補正１】
【補正対象書類名】実用新案登録請求の範囲
【補正対象項目名】請求項１
【補正方法】変更
【補正の内容】
【請求項１】
自動二輪車の走行装置である後ろタイヤを伝達装置に変えてチェーン駆動式にすることによってエンジンの動力をトライクユニットに伝達させる事が可能になる為、今まで不可能であったチェーン式の色々なメーカーのトライクユニットや自動車のホウシングを使用して製作できるトライク。
(57)【要約】      （修正有）【課題】植木鉢と植木鉢に立てた支柱とを固定させ、支柱倒れを防止するメッシュ台座付支柱差込ソケットを提供する。【解決手段】植木鉢３の内部底面に、鉢の大きさに合わせてカットしたメッシュ台座２をはめ込み、台座と一体化して設けた支柱差込型ソケット１に支柱を立てる事により、植木鉢と植木鉢に立てた支柱とを固定させ、支柱倒れを防止する。【選択図】図１
0003155144.tif 000002
【実用新案登録請求の範囲】
【請求項１】
植木鉢の大きさによって台座を自由に切断して植木鉢内部底面にはめ込み、台座と一体化した支柱差込ソケットに支柱を立てることにより支柱倒れを防ぐ、メッシュ台座付支柱差込ソケット装置
【考案の詳細な説明】
【技術分野】
【０００１】  本考案は、植木鉢と植木鉢に立てた支柱とを固定させる、支柱差込ソケットに関するものである。
【背景技術】
【０００２】  土に埋めただけの支柱に植物の茎を支えて栽培していたが、風雨等により支柱が倒れ栽培植物がだめになっていた。
【考案の開示】
【考案解決しようとする課題】
【０００３】  栽培植物の背が、高ければ高い程土中に差しただけの支柱に植物の茎を支えるのは、不安定である。
従って、支柱と植木鉢を固定させ前途の欠点を解決しようとするものである。
【課題を解決するための手段】
【０００４】  本考案は、植木鉢の大きさによって支柱差込ソケットと一体化した台座を自由に切断して植木鉢内部底面にはめ込み、支柱差込ソケットに支柱を立て植木鉢に固定することにより支柱倒れを防ぐ問題点を解決している。
【考案の効果】
【０００５】  上述の様に、本考案のメッシュ台座付支柱差込ソケットは、植木鉢の大きさによって台座を自由に切断して植木鉢内部底面にはめ込み、支柱差込ソケットに支柱を立てることによって植木鉢に固定でき、風雨等により支柱倒れ防止として役立つ。
また台座がメッシュ板であるため浸水を妨げず根腐れ防止する。
【考案の実施するための最良の形態】
【０００６】  台座のメッシュ板を、植木鉢の大きさによって自由にカットして鉢はめ込み、支柱差込ソケットに支柱を立て植栽する。
【実施例】
【０００７】  以下、添付図面に従って一実施例を説明する。
３の既製品の植木鉢内部底面に、２のメッシュ台座をカットしてはめ込み、１の支柱差込型ソケットに支柱を立て鉢に培養土を入れる。
【図面の簡単な説明】
【０００８】
【図１】本考案のメッシュ台座付支柱差込ソケットを植木鉢に設置時の断面図である。
【図２】本考案のメッシュ台座付支柱差込ソケットを植木鉢に設置時の平面図である。
【図３】本考案のメッシュ台座付支柱差込ソケットの詳細図である。
【符号の説明】
【０００９】１  支柱差込ソケット
２  メッシュ台座
３  既製品植木鉢
【図１】
0003155144.tif 000003
【図２】
0003155144.tif 000004
【図３】
0003155144.tif 000005
(57)【要約】      （修正有）【課題】労力をかけずに飲料水缶やペットボトルを投入できる自動販売機を提供する。【解決手段】飲料水缶の入った投入具を手で持ち上げるのではなく、自動販売機にある自在腕木の滑車に引きかけロ−プを引いて持ち上げるようにする。この自在腕木を支点に前後上下左右に移動するので飲料水缶の投入口に引っかけて缶を投入することができる。また、飲料水缶の投入口の横の列の前に横棒をつけて、この棒に缶投入具を引きかけて左右に移動できるので投入口への移動や投入が容易にできる。【選択図】図１
0003155149.tif 000002
【実用新案登録請求の範囲】
【請求項１】
飲料水缶やペットボトルの自動販売機への投入具を引き上げる腕木のある自動販売機
【請求項２】
飲料水缶やペットボトルの自動販売機への投入具を左右に移動するために飲料水缶やペットボトルの投入口の前の列に横棒のある自動販売機
【請求項３】
飲料水缶やペットボトルの自動販売機への投入具を引き上げ左右移動できる自在腕木のある器具を取り付けることのできる自動販売機
【考案の詳細な説明】
【技術分野】
【０００１】
この考案は、自動販売機に飲料水缶やペットボトルを入れる投入具を上方に引き上げ左右移動できる自動販売機に関するものである。
【背景技術】
【０００２】
従来は、飲料水缶やペットボトルを手で一本づつ自動販売機に入れるだけであったので、自動販売機に飲料水缶やペットボトルを入れる投入具を上方に持ち上げ，飲料水缶やペットボトルの投入口に入れやすくしたものである。
【考案の概要】
【考案が解決しようとする課題】
【０００３】
この考案は、自動販売機に飲料水缶やペットボトルを入れる投入具を飲料水缶の投入口まで手で持ち上げていた。
これには次のような欠点があった。
イ  缶やペットボトルの入った投入具を持ち上げるので、労力がかかる。
ロ  缶やペットボトルの入った投入具を持ち上げて、左右移動に労力がかかる。
この考案は、以上の欠点を解決するためになされたものである。
【課題を解決するための手段】
【０００４】
上記の問題点を解決するために，本考案は、飲料水缶やペットボトルの入った投入具を手で持ち上げるのではなく、自動販売機に収納してある自在腕木に滑車をつけ,飲料水缶の投入具を引きかけロープで引き上げるようにする。この自在腕木を支点に前後左右に飲料水缶の投入具を移動することができる。ロープの調整で上下に飲料水缶の投入具を移動できる。飲料水缶投入口の横の列の前に横棒をつけて、この横棒に飲料水缶の投入具の前面底板を載せて,左右に移動できる。また、この横棒を支点にして飲料水缶の投入具の後方を持ち上げて飲料水缶を転げ落とすことができる。飲料水缶の投入具をこの横棒を滑らせて飲料水缶の投入口へ左右移動することが容易にできる。
腕木や横棒のない自動販売機には、自在腕木のついた支持棒の器具を自動販売機のドアに引きかけて,滑車をつけて投入具を引き上げて、飲料水缶を投入口へ投入するようにして使用する。
【考案の効果】
【０００５】
飲料水の缶やペットボトルを1本づつ入れるのではなく,箱ごと,又は,数本の飲料水缶やペットボトルを飲料水缶やペットボトルの自動販売機への投入具に入れて、飲料水缶やペットボトルの投入口に入れるとき投入具を手で持ち上げるのではなく、自動販売機に収納してある自在腕木に滑車をつけて飲料水缶の投入具をロープで引いて持ち上げるので労力がいらない。この自在腕木を支点に投入具が前後左右に移動するので飲料水缶を投入口への移動が容易である。缶投入口の横の列の前の横棒に缶投入具を載せて左右に移動できるので投入口への移動が短時間で労力がいらない。この収納腕木と投入口の前の横棒によって、缶投入具を引き上げる力や上下左右の移動の時間や労力の削減ができる。また、収納腕木のない自動販売機には,自在腕木のついた支持棒の器具を使用して飲料水缶やペットボトルを投入することができる。
【図面の簡単な説明】
【０００６】
【図１】本発明の収納自在腕木と缶投入口前の横棒のある自動販売機の内部正面図である。
【図２】本発明の収納自在腕木と缶投入口前の横棒の拡大正面図である。
【図３】本発明の自在腕木のついた支持棒の斜視図である。
【図４】本発明に使用する飲料水缶投入具の斜視図である。
【考案を実施するための形態】
【０００７】
本考案は、自動販売機に飲料水缶やペットボトルを1本づつ入れるのではなく,飲料水缶の入った図４投入具を自動販売機に収納してある図１．図２の自在腕木に滑車をつけ,飲料水缶の投入具を引きかけロープを引いて引き上げるようにする。この自在腕木６は自在腕木の販売機可動留ネジ２，を支点に前後左右に移動することができる。投入しようとする投入口に投入具を移動することができる。また, 飲料水缶投入口７の横の列の前に横棒８をつけて、この横棒８に缶投入具を載せて,左右に移動できるので投入口７への移動や投入が容易にできる。図１投入具の上下移動は、滑車１８のロープの引き方、緩め方で移動できる。自在腕木３，４，６や横棒８のない自動販売機には、図３自在腕木のついた支持棒１１の器具を自動販売機のドアに引きかけて,滑車１８をつけて投入具を引き上げ,自在腕木３，４，６で左右に移動して飲料水缶を投入口７へ投入するようにして使用する。
【符号の説明】
【０００８】
１  第１、第２腕木可動留ネジ
２  自在腕木の販売機可動留ネジ
３  第２自在腕木
４  第１自在腕木
５  第１、第２自在腕木可動留ネジ
６  第３自在腕木
７  缶投入口
８  缶投入口前第１横棒
９  缶取り出し口
１０  飲料水缶自動販売機
１１  自在腕木支持棒
１２  自在腕木支持棒可動留ネジ
１３  第１自在腕木
１４  第１、第２自在腕木可動留ネジ
１５  第２自在腕木
１６  第１、第２腕木可動留ネジ
１７  第３自在腕木
１８  自在腕木滑車
１９  固定具
【図１】
0003155149.tif 000003
【図２】
0003155149.tif 000004
【図３】
0003155149.tif 000005
【図４】
0003155149.tif 000006
【手続補正書】
【提出日】平成21年8月6日(2009.8.6)
【手続補正１】
【補正対象書類名】実用新案登録請求の範囲
【補正対象項目名】全文
【補正方法】変更
【補正の内容】
【実用新案登録請求の範囲】
【請求項１】
飲料水缶やペットボトルの自動販売機への投入具を引き上げる腕木のある自動販売機
【請求項２】
飲料水缶やペットボトルの自動販売機への投入具を左右に移動するために飲料水缶やペットボトルの投入口の前の列に横棒のある自動販売機
【請求項３】
飲料水缶やペットボトルの自動販売機への投入具を引き上げるために自動販売機のドアに自在腕木支持棒をドアの厚さのコの字形の固定具でドアの上に固定し、自在腕木支持棒に可動できる自在腕木をつけた自動販売機
(57)【要約】      （修正有）【課題】リビングや玄関等、家屋内のいたるところに飾ることにより、防災セットの家庭内紛失や食料品等の賞味期限切れを防ぎ、災害時でもすぐに持ち出すことができる防災用品入れを提供する。【解決手段】布製で歩行等の邪魔にならない薄型の箱状に形作った入れ物で、ハンガー５や画鋲等を用いて壁面やハンガーフックに設置する機構を持ち、正面を額状１にすることで、好みのデザインで飾ることができるようにして防災用品入れを構成する。【選択図】図１
0003155195.tif 000002
【実用新案登録請求の範囲】
【請求項１】
リビングや玄関等、家屋内のいたるところに飾ることができ、常時目に付く場所に保管することで、突然訪れる災害等の際にすぐに持ち出せることを目的とした防災用品入れ。
【考案の詳細な説明】
【技術分野】
【０００１】本考案は、リビングや玄関等、家屋内のいたるところに飾ることができる防災用品入れに関する。
【背景技術】
【０００２】家庭用防災セットの普及が進んでいく中、用意した防災セットをクローゼットや押し入れ等にしまい込んでしまうことが多く、実際の災害時にどこにあるのかわからなくなってしまう場合や、長期間しまい込んでいることでせっかく用意した食料品等の消費期限が過ぎてしまうこともあり、災害時に大きな社会問題になりうる。このため、常に目に見える場所に防災セットを保管できる入れ物があれば理想的である。
【考案の開示】
【考案が解決しようとする課題】
【０００３】災害時に社会的な問題となりうる家庭用防災セットの保管方法の課題を解決するのが本考案である。現在、市場では様々な防災バッグが販売されているものの、そのほとんどが持ち運びの際の使用感だけを考えられたつくりであり、保管時にはクローゼットや押し入れにしまわれてしまうものである。このため、いざという時に取り出せなかったり、防災セット自体の存在をわすれてしまい、バッグ内の防災用食料の消費期限が切れてしまう等の大きな課題がある。
【課題を解決するための手段】
【０００４】上記目的を達成するために、布製で歩行等の邪魔にならない薄型の箱状に形作ることで、画鋲等で壁面に設置することができ、また、ハンガー等に引っかけられるようフックを取り付けることで壁面だけでなく様々な場所に設置し、飾ることができる。
【考案の効果】
【０００５】本考案の防災用品入れに防災用品を収納することで、防災セットの家庭内紛失や食料品等の消費期限切れを防ぎ、災害時でもすぐに持ち出すことができる。
【考案を実施するための最良の形態】
【実施例】
【０００６】以下添付図面に従って実施例を説明する。図面１は全体のイメージ図で、図面２は正面から見た図、図面３は背面から見た図、図面４は正面額部分の中身を変更したイメージ図である。
【図面の簡単な説明】
【０００７】
【図１】全体イメージ図
【図２】正面から見た図
【図３】背面から見た図
【符号の説明】
【０００８】１  額部分
２  入れ物を連結するためのチャック
３  ハンガー等にぶら下げるための面ファスナー
４  物入れ入口部分
５  ハンガー
【図１】
0003155195.tif 000003
【図２】
0003155195.tif 000004
【図３】
0003155195.tif 000005
【手続補正書】
【提出日】平成21年8月19日(2009.8.19)
【手続補正１】
【補正対象書類名】実用新案登録請求の範囲
【補正対象項目名】全文
【補正方法】変更
【補正の内容】
【実用新案登録請求の範囲】
【請求項１】
布製で歩行等の邪魔にならない薄型の箱状に形作った入れ物で、ハンガーや画鋲等を用いて壁面やハンガーフックに設置する機構を持ち、正面を額状にすることで、好みのデザインで飾ることができる防災用品入れ。
(57)【要約】      （修正有）【課題】従来の乗車用ヘルメット（ジェット型およびフルフェイス型）は耳部分が覆われており、外部音が聴こえづらかった。そこで、着用した状態でも外部音が聴こえ易いヘルメットを提供する。【解決手段】乗車用ヘルメットの左右耳部分位置に通気孔を開け、外部音を聴こえ易くする。通気孔には、異物や虫の侵入を防ぐために、パンチング処理した金属（網ハトメ）または網状のカバーを取り付ける。また、通気孔内側にはシャッター機構を設け、通気孔の開閉ができるものとする。【選択図】図１
0003155192.tif 000002
【実用新案登録請求の範囲】
【請求項１】
左右耳部分位置に外部音聴取用の通気孔を設けたことを特徴とする乗車用ヘルメット。
【請求項２】
前記通気孔をパンチング処理した金属（網ハトメ）または網でカバーしたことを特徴とする請求項１記載の乗車用ヘルメット。
【請求項３】
前記通気孔の内側に開閉式シャッター機構を設けたことを特徴とする請求項１記載の乗車用ヘルメット。
【考案の詳細な説明】
【技術分野】
【０００１】本考案は、外部音を聴取するための装置を備えた乗車用ヘルメットに関するものである。
【背景技術】
【０００２】従来のヘルメットには頭部に外気を導入、排出するための換気装置を施したものがある（例えば、特許文献１参照。）。その多くは、ヘルメットの前頭部、頭頂部あるいは後頭部に通気孔とシャッターを設けたものである。
【先行技術文献】
【特許文献】
【０００３】
【特許文献１】特開平１０−１２１３１７号公報
【考案の概要】
【考案が解決しようとする課題】
【０００４】従来の乗車用ヘルメット（ジェット型およびフルフェイス型）は耳部分が覆われており、外部音が聴こえづらかった。そこで、この考案は、着用した状態でも外部音が聴こえ易いヘルメットを提供することを課題とする。
【課題を解決するための手段】
【０００５】上記課題を解決する為に、本考案は、ヘルメットの左右耳部分位置に帽体および裏打ちプレートを貫通する通気孔を開設したことを特徴とするヘルメットである。【０００６】通気孔には、異物や虫の侵入を防ぐために、パンチング処理した金属カバー（網ハトメ）を帽体を挟んでカシメ留めする。或いは、単に網状の素材を帽体裏側に取り付けて通気孔をカバーしてもよい。【０００７】更に、通気孔内側（ヘルメット内部）にシャッター機構を設け、通気孔の開閉ができるものとする。シャッターはプラスチック板で、裏打ちプレートにシャッター留ハトメで１点留めし、そこを支点にスライドして通気孔を開閉するものとする。
【考案の効果】
【０００８】請求項１に記載の通気穴を開設することにより、ヘルメットを着用した状態で外部音が聴こえ易くなり、周囲の気配（オートバイの異常音、付近を走行する乗用車の音、緊急自動車のサイレンなど）をより感知し易くなる。また、請求項２に記載のカバーにより、異物や虫の侵入を防ぐことができる。更に、請求項３に記載の開閉式シャッター機構により、通気孔を塞ぐこともでき、高速走行時の風切音や雨の侵入を防ぐことができる。
【図面の簡単な説明】
【０００９】
【図１】本考案に係る外部音聴取装置を備えた乗車用ヘルメットの側面図である。
【図２】図１のＡ−Ａ線に沿える拡大縦断面図である。
【図３】本考案のシャッター開状態を示すヘルメット内側の斜視図である。
【図４】本考案のシャッター閉状態を示すヘルメット内側の斜視図である。
【図５】網ハトメの拡大斜視図である。
【考案を実施するための形態】
【００１０】ヘルメットの左右耳部分位置に通気孔を開設し、通気孔外側から網ハトメを固定して通気孔をカバーする。網ハトメの平面カバー部には複数の小孔が開いており、通気が可能であると同時に異物の内部侵入を防ぐ。また、通気孔内側にはプラスチック板のシャッターを装備し、スライドして通気孔の開閉を可能とする。
【実施例】
【００１１】本考案の実施例を図面に基づいて説明すると、図１は本考案に係る通気孔を装備したジェット型ヘルメットを示し、図中、１はＦＲＰ、ＡＢＳなどの素材によって成形した帽体で、左右耳部分位置に通気孔が設けられ、その通気孔は網ハトメ２でカバーされている。帽体側面下部内側にはプラスチック製平板の裏打ちプレート４が固定されており、通気孔は帽体１と裏打ちプレート４を貫通している。【００１２】図２は本考案の構造を示し、網ハトメ２は通気孔８部分に帽体１の外側からカシメて固定されている。固定の際、網ハトメ裏座７が帽体１の内側にあてがわれ、帽体１を挟んで網ハトメ２と一緒にカシメ留めされている。【００１３】プラスチック製平板のシャッター３は、裏打ちプレート４にシャッター留ハトメ５で１点固定されており、シャッター留ハトメ５を支点として図３、４に示すようにスライドして通気孔８を開閉する。
【符号の説明】
【００１４】１  帽体
２  網ハトメ
３  シャッター
４  裏打ちプレート
５  シャッター留ハトメ
６  縁ゴム
７  網ハトメ裏座
８  通気孔
９  頬パッド
１０  内装
【図１】
0003155192.tif 000003
【図２】
0003155192.tif 000004
【図３】
0003155192.tif 000005
【図４】
0003155192.tif 000006
【図５】
0003155192.tif 000007
【手続補正書】
【提出日】平成21年8月19日(2009.8.19)
【手続補正１】
【補正対象書類名】実用新案登録請求の範囲
【補正対象項目名】請求項２
【補正方法】変更
【補正の内容】
【請求項２】
前記通気孔を、パンチング処理した金属製の網ハトメまたは網でカバーしたことを特徴とする請求項１記載の乗車用ヘルメット。
(57)【要約】      （修正有）【課題】刃物等を使用せずに、封をしたテープを開けることができる糸付き段ボールケースを提供する。【解決手段】段ボールケース等の１ケ所又は数ケ所に糸をつけ、一方を段ダンボールケースに固定し、他の一方を段ボールケース等の開閉口の反対側に付着させ取っ手付きの部分を垂らしておき、付着させた部分の上をテープで貼る。開封する時に取っ手の部分の糸を引っ張り上げる。【選択図】図２
0003155191.tif 000002
【実用新案登録請求の範囲】
【請求項１】
本考案は、段ボールケース等の１ケ所又は数ケ所に糸をつけ、一方を段ダンボールケースに固定し他の一方を段ボールケース等の開閉口の反対側に付着させ取っ手付きの部分を垂らしておき、付着させた部分の上をテープで貼り、開封する時に取っ手の部分の糸を引っ張り上げることにより刃物なしで開封する事が出来る糸付き段ボールケース
【考案の詳細な説明】
【技術分野】
【０００１】  本考案は、段ボールケース等をテープで封をした場合、刃物等を使用しなくても段ボールケース等の１ケ所又は数ケ所に持ち手付きの糸を付けて，その糸を引っ張り上げることにより刃物等なしで封をしたテープを開くとが出来るように取り付けて組みあわせたもの。
【背景技術】
【０００２】  本考案は、段ボールケース等に封をしたテープを開くときに刃物等が無ければ開くことが困難で、又刃物等で開こうとしても中の商品を傷つけたり、誤ってカッターナイフの刃を商品に混入したり、手や指を傷つけることもあり危険で不便であった。
【考案の開示】
【考案が解決しようとする課題】
【０００３】  本考案はこの欠点を補うために段ボールケース等の１ケ所又は数ケ所に第１図のように持ち手付きの糸を付けることにより刃物等を使用することなく糸を引っ張り上げることで封をしたテープを裂くことに依りケースを開くことができるようにしたものである。
【考案の効果】
【０００４】  現在、段ボールケース又は梱包ケースは殆どの場合がテープで封をしているが、開封するときには刃物等でテープを切り開封している。刃物を使用するため、開封時に中の商品を傷つけたり、刃物で手や指を傷つけたり、商品の中にカッターナイフの刃を混入させたり、不便であり又危険であった。
【考案実施の形態】
【０００５】  本考案は第１図のように段ボールケース等の封をする部分に糸を付け一方を固定し、残る一方を持ち手つきにして引っ張り上げることにより封をしたテープを開くことができるようにしものである。
【実施例】
【０００６】  本考案の段ボールケース等に商品を詰めテープで封をして、開封する時に第６図▲エ▼の部分を引っ張り上げる事により、封をしたテープが裂けケースを開く事が出来るものであり刃物等を使用しなくても段ボールケースを開封することが出来るため中の商品を傷つけることなく安全の早く開封することができるものある。
【考案の効果】
【０００７】  本考案は封をしている段ボールケース等を開封する場合、刃物等を使用しないため、誤って手や指を傷ずつける事無く、中の商品も傷つけることも無く早く安全にケースを開封する事が出来、労働的にも経済的にも負担が軽減される。
【図面の簡単な説明】
【図１】    第２図の▲ウ▼部分の拡大図
【図２】    本考案の糸付き段ボールケースの立体図
【図３】    平面図
【図４】    第２図の▲ア▼方面からの側面図
【図５】    第２図の▲イ▼方面からの側面図
【図６】    第５図の糸を引っ張り上げた実施例の側面図
【図１】
0003155191.tif 000003
【図２】
0003155191.tif 000004
【図３】
0003155191.tif 000005
【図４】
0003155191.tif 000006
【図５】
0003155191.tif 000007
【図６】
0003155191.tif 000008
【手続補正書】
【提出日】平成21年8月17日(2009.8.17)
【手続補正１】
【補正対象書類名】実用新案登録請求の範囲
【補正対象項目名】全文
【補正方法】変更
【補正の内容】
【実用新案登録請求の範囲】
【請求項１】
段ボールケース等の１ケ所又は数ケ所に糸をつけ、一方を段ダンボールケースに固定し他の一方を段ボールケース等の開閉口の反対側に付着させ取っ手付きの部分を垂らしておき、付着させた部分の上をテープで貼り、開封する時に取っ手の部分の糸を引っ張り上げることにより刃物なしで開封する事が出来る糸付き段ボールケ−スである。
(57)【要約】      （修正有）【課題】すべての内装工事が、簡単で、洗うことも出来かつ模様や形状も自由自在に出来、リサイクル活用ができるボードパネルを提供する。【解決手段】はめ込み式ボードパネルは突起５０パネル１０で形成された３００個以上ある下地材３１１がありその表面パネル１０が、はめ込める裏面にパネル溝外１５４の受け枠部分があり突起５０にパネル１０が隙間なくはめ込んでいくことにより大きさ形状が的確に変更できる。【選択図】図１
0003155199.tif 000002
【実用新案登録請求の範囲】
【請求項１】
はめ込み式ボードパネルは５０突起１０パネルで形成された３００個以上ある下地材５０、３１１がありその表面パネル１０が、はめ込める裏面に１５６、１５４の受け枠部分があり突起５０に１０パネルが隙間なくはめ込んでいくことにより内装が的確に出来る。
（選択図）  図１  図５  図７
【請求項２】
前記の下地材での突起の特徴とする請求項１記載の突起５０の先端についての形や大きさはきまっておらず用途に応じて形成する。
（選択図）  図１  図５
【考案の詳細な説明】
【技術分野】
【０００１】本考案は、建築内装に伴うはめ込み式ボードパネルに関する。
【背景技術】
【０００２】従来の内装パネルは、一度付けると洗い替えや取り替えが困難でした。
【考案の開示】
【考案が解決しようとする課題】
【０００３】従来の内装パネルは四隅だけの突起部分での取り付けだけで、形状、大きさがきめられていました。
【課題を解決するための手段】
【０００４】本考案は、突起材を増やした下地材を貼りその突起に、合う溝があるはめ込み式ボードをはめ込むだけで、簡単で大きさや形も自由にでき洗うことも可能になったこれにより上記課題を解決するものである。
【考案の効果】
【０００５】本考案においてすべての内装工事が、簡単で、洗うことも出来かつ模様や形状も自由自在に出来、リサイクル活用ができる。
【考案を実施するための形態】
【０００６】下地に突起を規則通うリに付けた下地材を全面に貼り、たて、横どちらにも合うよう並んでいる。それによって、大きさ、形状、関係なくはめ込める。
【０００７】図６のように、突起があるため、防音、断熱、耐震の効果も期待される。
【０００８】古いボードパネルは、引き取りリサイクルできて、エコにもなる。
【図面の簡単な説明】
【０００９】
【図１】正面図
【図２】ボードパネル表面
【図３】ボードパネル裏面
【図４】下地突起壁留め施工
【図５】下地材の形状及びビス穴
【図６】既設壁に取り付け状態
【図７】既設壁に取り付け完了
【符号の説明】１０・・・正面パネル表            １５６・・・パネル溝内
１１・・・正面パネル裏            ３０８・・・ビス穴
５０・・・下地突起                ３０９・・・ビス穴
１００・・・既設壁                ３１１・・・下地材
１５４・・・パネル溝外
１５５・・・パネル溝
【図１】
0003155199.tif 000003
【図２】
0003155199.tif 000004
【図３】
0003155199.tif 000005
【図４】
0003155199.tif 000006
【図５】
0003155199.tif 000007
【図６】
0003155199.tif 000008
【図７】
0003155199.tif 000009
【手続補正書】
【提出日】平成21年8月24日(2009.8.24)
【手続補正１】
【補正対象書類名】実用新案登録請求の範囲
【補正対象項目名】全文
【補正方法】変更
【補正の内容】
【実用新案登録請求の範囲】
【請求項１】
下地材と正面パネルとを備え下地材に突起が設けられ正面パネルの裏側に溝が設けられ上記突起に上記の溝がはめ込まれたことを特徴とする
建築内装用のはめ込み式ボードパネル。
【請求項２】
上記の突起が３００個以上あることを特徴とする
請求項１記載のはめ込み式ボードパネル。
【手続補正２】
【補正対象書類名】明細書
【補正対象項目名】０００６
【補正方法】変更
【補正の内容】
【０００６】  この実施の形態に係るはめ込み式ボードパネルは、下地材（３１１）と正面パネル表（１０）で形成されている。３００個以上の下地突起（５０）が下地材（３１１）に設けられている。正面パネル表は、はめ込める裏側にパネル溝（１５５）がありこれらの下地突起（５０）にパネル溝（１５５）をはめ込んでいくことにより内装が的確にできる。
前記の突起の形や大きさは用途に応じて形成していくことができる。
(57)【要約】      （修正有）【課題】使用頻度の高いエア機器を使用した機械で実際の配線を行え、シーケンス制御の技術の習得ができる実用に即したシーケンス制御学習装置を提供する。【解決手段】シーケンス制御を学習する装置であって、制御機器に電源電圧を供給するリレー６を用いた電気回路と、シーケンス制御を行う制御機器７と、制御機器からの信号を受けて動作する電磁弁９と、その電磁弁から供給されるエアにより動作するエアシリンダー１０，１１，１２とを含んで構成され、ベース１３に組み付けて一体としてシーケンス制御学習装置を構成する。【選択図】図１
0003155193.tif 000002
【実用新案登録請求の範囲】
【請求項１】
リレーを用いた電気回路と、制御機器と、電磁弁とエアシリンダーで構成されたシーケンス制御学習装置。
【考案の詳細な説明】
【技術分野】
【０００１】  本装置は制御機器を用いてシーケンス制御を学習する教材に関するものである。
【背景技術】
【０００２】  経済性や操作性の確実性、安全性の面から、プログラマブル・ロジック・コントローラを用いたシーケンス制御が増加している。また、省スペース性・省電力性能に優れるマイコンも広く使用されている。従来の教材で機械系については実物模型等でメカニズムを理解させる方法等は知られている。近年のＦＡの進展により使用頻度の高い電磁弁、エアシリンダーを用いたエア機器の制御を行い、実際の配線も繰り返し行うことができる実用に即した形でシーケンス制御を学習できる教材の考案が要求されている。
【先行技術文献】
【特許文献】
【０００３】
【特許文献１】特許公報第２５１６９２９号
【特許文献２】公開特許公報特開平５−４６０７５
【考案の概要】
【考案が解決しようとする課題】
【０００４】  使用頻度の高いエア機器を使用した機械で実際の配線を行え、シーケンス制御の技術の習得ができる実用に即したものが要求されている。
【課題を解決するための手段】
【０００５】  本考案は、リレーを用いた電気回路と、制御機器と電磁弁とエアシリンダーで構成されたシーケンス制御学習装置である。
本考案におけるリレーを用いた電気回路とは、電源ＯＮスイッチを押した時の自己保持及び電源ＯＮ／ＯＦＦスイッチのランプを点灯させる回路である。また、モーターを用いたタイプもあり、正転／逆転の制御及び電気回路も学習できる。
本考案における制御機器とは、プログラマブル・ロジック・コントローラ又はマイコンである。
【考案の効果】
【０００６】  本装置によれば、リレーを用いた電気回路及び、エア機器とシーケンス制御の複合した技術訓練を行うことができる。電気系では繰り返し配線を行い動作させることにより、実際の配線と電気回路を理解させることができる。また、シーケンス制御では、課題として与えられた動作仕様に合わせた高度で多様な制御設計の教育も可能である。
【図面の簡単な説明】
【０００７】
【図１】本考案装置の上面図である
【図２】本考案装置の電気回路図である
【図３】本考案装置のエア配管図である
【図４】本考案装置の上面図でエアシリンダー１が動作状態である
【図５】本考案装置の上面図でエアシリンダー１、２が動作状態である
【図６】本考案装置の上面図でエアシリンダー１〜３が動作状態である
【考案を実施するための形態】
【０００８】  組立前の部品を提供することによって、組立・配線の教育にも活用することができる。
また、配線の取り外しを可能とし、繰り返し配線の教育にも活用することができる。
【実施例】
【０００９】  本考案のシーケンス制御学習装置の一実施例を図１、４、５、６を参照しながら説明する。
まず、図１の組立状態における装置構成を説明する。１３はベースであり、各部品取付位置にはそれぞれの取付穴が加工されている。１〜４は各スイッチで、５は電源回路用のヒューズである。６のリレーは電源回路において電源ＯＮスイッチの自己保持及びスイッチランプの点灯に使用している（図２参照）。７はシーケンス制御を学習する為のプログラマブル・ロジック・コントローラである。８はフィルターレギュレータであり、任意の圧力を設定し、設定した圧力でフィルタを介したエアを９の電磁弁へ供給する。１０〜１２はエアシリンダー１〜３であり、プログラマブル・ロジック・コントローラにより制御されている電磁弁から供給されるエアにより動作する。１４はエアシリンダー１先端に取付けられている動作物である。
図４〜６で一実施例の動作を説明する。ＳＴＡＲＴスイッチが押されることにより、エアシリンダー１が動作する（図４参照）。エアシリンダー１が動作完了したら、エアシリンダー２が動作する（図５参照）。エアシリンダー２が動作完了したら、エアシリンダー３が動作して、エアシリンダー１先端に取付いている動作物を動かす（図６参照）。エアシリンダー３が動作完了したら、すぐに原点に戻る。エアシリンダー３が原点に戻ったら、エアシリンダー２も原点に戻る。エアシリンダー２が原点に戻ったら、エアシリンダー１も原点に戻る。ＳＴＡＲＴスイッチが押されると、上記一連の動作をする。
次に本実施例を説明する。任意の動作仕様に基づき、プログラムを作成・書き込む。書き込まれたプログラムで正しく動作しなければ、そのプログラムを修正する。上記実施例からプログラマブル・ロジック・コントローラの機能及びシーケンス制御の学習を行う。
【符号の説明】
【００１０】  １：電源ＯＮスイッチ
２：電源ＯＦＦスイッチ
３：ＳＴＡＲＴスイッチ
４：ＲＥＳＥＴスイッチ
５：ＦＵＳＥ
６：リレー
７：プログラマブル・ロジック・コントローラ
８：フィルターレギュレータ
９：電磁弁
１０：エアシリンダー１
１１：エアシリンダー２
１２：エアシリンダー３
１３：ベース
１４：動作物
【図１】
0003155193.tif 000003
【図２】
0003155193.tif 000004
【図３】
0003155193.tif 000005
【図４】
0003155193.tif 000006
【図５】
0003155193.tif 000007
【図６】
0003155193.tif 000008
【手続補正書】
【提出日】平成21年8月17日(2009.8.17)
【手続補正１】
【補正対象書類名】実用新案登録請求の範囲
【補正対象項目名】全文
【補正方法】変更
【補正の内容】
【実用新案登録請求の範囲】
【請求項１】
シーケンス制御を学習する装置であって、
制御機器に電源電圧を供給するリレーを用いた電気回路と、
シーケンス制御を行う制御機器と、
制御機器からの信号を受けて動作する電磁弁と、
その電磁弁から供給されるエアにより動作するエアシリンダーと
を含んで構成され、ベースに組み付けられて一体となっていることを特徴とするシーケンス制御学習装置。
(57)【要約】      （修正有）【課題】土などに楽に穴をあける道具を提供する。【解決手段】心棒１に鉄パイプ２を通し重しとし、これを上下させて下の当りに当てると衝撃により力が生じ矢３により穴があく。また、上の当りにより引き抜きも簡単である。ただ一つの道具でしかも立ったままの楽な姿勢で楽な作業ができる。軽い道具で片手で出来、能率も上がる道具である。【選択図】図１
0003155138.tif 000002
【実用新案登録請求の範囲】
【請求項１】
心棒４分の丸鋼１．１ｍの先に５分の丸鋼０．３ｍを溶接し先端は尖らす、心棒に内径５分のガス管（０．７ｍ）を通し重しとし、これを上下させて上下の当りで衝撃力となり土に穴をあけたり、また引き抜きが楽に出来る。
穴に支柱を挿しこむ。
【考案の詳細な説明】
【技術分野】
【０００１】本考案は重しを上下させて当りで衝撃力を造って打ち込み、引き抜きを行う
【背景技術】
【０００２】鉄の棒を金槌で叩いて穴をあけるか直接支柱を叩いている
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】従来のやり方では手間が掛かるし、品物は傷めるなど不経済である。
【課題を解決するための手段】
【０００６】ただ一つの道具でしかも立ったままの楽な姿勢で楽な作業ができる大変便利だ。
【考案の効果】
【０００７】軽い道具で片手で出来る、能率も上がる言う事なしの道具です。
【図面の簡単な説明】
【０００８】
【図１】１の心棒に２の鉄パイプを通し重しとし、これを上下させて下の当りに当てると衝撃により力が生じ３の矢により穴があくまた上の当りにより引き抜きも簡単である。
【考案を実施するための形態】
【０００９】百姓もだんだん高齢化し体力も衰え大変な重労働で少しでも楽な方法である事が喜ばれる。
【実施例】
【００１０】野菜つくりで柵や支えをするのは多いので、経済的にも利用される。と思う。
【産業上の利用可能性】
【００１１】農業重視の時代がやがて来ると考える。人間生きるに食料は必須である。その農業を支えるのは重要と考える。
【符号の説明】
【００１２】１・・・心棒
２・・・重し
▲３▼・・・矢
【図１】
0003155138.tif 000003
【手続補正書】
【提出日】平成21年5月19日(2009.5.19)
【手続補正１】
【補正対象書類名】実用新案登録請求の範囲
【補正対象項目名】請求項１
【補正方法】変更
【補正の内容】
【請求項１】
心棒になる丸鋼の片方に太い目の丸鋼を溶接でつなぎ、先端は尖らし焼入れ、その心棒の外径より大きい内径の両端に当りの付いたパイプを通し、心棒の方もつなぎ部と端に当りがあり，人力でパイプを上下し当りに当って生じる衝撃力で穴を明けたり引き抜いたりが楽に出来る。
【手続補正書】
【提出日】平成21年8月11日(2009.8.11)
【手続補正１】
【補正対象書類名】実用新案登録請求の範囲
【補正対象項目名】全文
【補正方法】変更
【補正の内容】
【実用新案登録請求の範囲】
【請求項１】
心棒になる丸鋼の片方に心棒より太い丸鋼を溶接でつなぎ、そのつながない方を尖らし焼き入れ、その心棒の外径より少し大きい内径の肉厚のパイプの両端に、厚いワッシャーの付いたものを心棒に通し、心棒の方もつないだ方と端の両方に厚いワッシャーを溶接、心棒に通した肉厚のパイプを人力で上下させて心棒に付いた厚いワッシャーに当った時の衝撃力で土に穴をあけたり、引き抜いたりが楽にできる道具。